(57)【要約】      （修正有）【課題】仮設足場用長さ調整手摺構造の新規なものを提供する。【解決手段】仮設足場において、規格通りの幅でない支柱１、１間にこの長さ調整手摺り４０を設ける。この調整手摺り４０は、四角筒体４１とクサビ片４５とからなる。筒体４１は、その長さ方向の両側に、上下面に開口する長孔４２、一側面に開口する長孔４３がそれぞれ形成されている。手摺りをなす筒体４１にフランジ１１を側面長孔４３に嵌めて支柱１に宛がい、係止片をフランジ１１の係止孔１２に嵌め込んで、筒体４１を支柱１に固定して取り付ける。このとき、長孔４２、４３内におけるクサビ片４５のその長さ方向の位置調整によって、支柱１、１間の幅に対応する。クサビ片４５は筒体４１に止め具４８でもって抜け止して離反しない。この手摺り４０は、フランジ１１が筒体４１内に入り込んでいるとともに、筒体４１が四角筒であることから、前後の支柱１、１間も狭くすることも少ない。【選択図】図２
2019132101.tif 000002
【特許請求の範囲】
【請求項１】
左右方向に立設した各支柱（１）にその長さ方向所要間隔にそれぞれ緊結部（４）が設けられ、前記支柱（１）間に前記緊結部（４）を介して手摺りを設けた仮設足場における手摺構造であって、
上記手摺りは、上記支柱（１）間に架設される筒体（４１）と、その筒体（４１）の長さ方向に移動自在かつ固定可能に設けた固定冶具とからなり、その固定冶具は上記記緊結部（４）に固定可能となっている仮設足場用長さ調整手摺構造。
【請求項２】
上記緊結部（４）は周囲に係止孔（１２）を有するフランジ（１１）であり、上記固定冶具は前記係止孔（１２）に嵌まり込むクサビ片（４５）であり、上記筒体（４１）の側面に前記フランジ（１１）が入り込む長孔（４３）が、同上下面には前記クサビ片（４５）が貫通する長孔（４２）がそれぞれ筒体（４１）の長さ方向の左右に形成されており、
上記支柱（１）間に上記筒体（４１）を宛がうとともに両支柱（１）のそれぞれのフランジ（１１）を筒体（４１）側面の長孔（４３）に嵌め込み、その嵌め込んだフランジ（１１）の係止孔（１２）に前記クサビ片（４５）を嵌め込んで上記上下面の長孔（４２）を介し筒体（４１）を対の支柱（１）に架設して固定した請求項１に記載の仮設足場用長さ調整手摺構造。
【請求項３】
上記筒体（４１）は、四角筒からなる請求項１又は２に記載の仮設足場用長さ調整手摺構造。
【発明の詳細な説明】
【技術分野】
【０００１】
この発明は、仮設足場における支柱間に設けられる長さ調整可能な手摺構造に関するものである。
【背景技術】
【０００２】
仮設足場には、例えば、この発明の一実施形態を示す図１を参照して説明すると、建地材となる縦柱等の前後一対の支柱１、１の複数を建物Ｈに沿って左右方向所要間隔で立設し、その建物Ｈに沿った支柱１、１間の高さ方向の適宜位置に足場板２を設けるとともに、その足場板２の前面に（又は後面にも）手摺り付筋交い３を設けた構造のものがある（特許文献１図１０参照）。
【０００３】
この仮設足場においては、各支柱１にその長さ方向所要間隔にそれぞれ緊結部４が設けられており、その緊結部４は、前後左右に計４個の係止孔を有するフランジ形式のものと、同前後左右それぞれ高さを異ならせた計４個の断面コ字状ホルダ形式のもの等がある。
通常、その手摺り付筋交い３はその端をこの各緊結部４に嵌め込んで支柱１に取付けられる。このとき、各緊結部４の左右（図１において左右の支柱１、１間の対向する側）の係止孔又はホルダが使用される。
また、手摺り付筋交い３ではなく、手摺りのみの仮設足場もあり、この手摺りはその両端を緊結部４に係止して取り付ける。さらに、左右方向に支柱１のみを並べた一側仮設足場もある。
【先行技術文献】
【特許文献】
【０００４】
【特許文献１】特開２０１４−２３４６８５号公報
【特許文献２】特開平０９−７８８２９号公報
【特許文献３】特開２０１４−２０１４５号公報
【発明の概要】
【発明が解決しようとする課題】
【０００５】
このような仮設足場で建物Ｈの全周を囲んだ際、通常、少なくとも左右方向の一箇所に支柱１、１間が規格通りの幅にならない箇所が生じる。この場合、従来、短管を両支柱間（図１の符号４０の箇所）に掛け渡し（架設し）、その短管の両支柱との接点部をクランプ（特許文献２図１参照）によって結合固定している。また、規格長さの手摺りを２重管の伸縮管とし、その伸縮可能な手摺りを支柱間の幅に合わせるとともに、両端を支柱の緊結部４に係止したものもある（特許文献３）。
【０００６】
この発明は、以上の実状の下、異なる構成の支柱間の幅変化に対応し得る長さ調整可能な手摺構造を提供することを課題とする。
【課題を解決するための手段】
【０００７】
上記課題を達成するため、この発明は支柱の緊結部に係止させた固定冶具を手摺り本体をなす筒体に移動固定し得るようにしたのである。
このようにすれば、筒体を掛け渡し得る支柱間であれば、上記固定冶具を筒体に対して移動固定することによって支柱間に手摺り（筒体）を取り付け固定することができる。
【０００８】
この発明の構成としては、左右方向に立設した各支柱にその長さ方向所要間隔にそれぞれ緊結部が設けられ、前記支柱間に前記緊結部を介して手摺りを設けた仮設足場における手摺構造であって、前記手摺りは、支柱間に架設される筒体と、その筒体の長さ方向に移動自在かつ固定可能に設けた固定冶具とからなり、その固定冶具は緊結部に固定可能となっている構成を採用することができる。
より具体的には、上記緊結部は周囲に係止孔を有するフランジであり、上記固定冶具は前記係止孔に嵌まり込むクサビ片であり、上記筒体の側面に前記フランジが入り込む長孔が、同上下面には前記クサビ片が貫通する長孔がそれぞれ筒体の長さ方向の左右に形成されており、支柱間に筒体を宛がうとともに両支柱のそれぞれのフランジを筒体側面の長孔に嵌め込み、その嵌め込んだフランジの係止孔にクサビ片を嵌め込んで上下面の長孔を介し筒体を対の支柱に架設して固定した構成とする。
この構成の手摺構造であると、緊結部をなすフランジが筒体内に入り込むため、その分、前後の手摺りの間が広くなる。このとき、上記筒体を、四角筒とすれば、その効果が顕著である。
【発明の効果】
【０００９】
この発明は、以上のように構成したので、新規な長さ調整可能な手摺りを得ることができる。
【図面の簡単な説明】
【００１０】
【図１】この発明に係る長さ調整手摺構造を設けた仮設足場の概略斜視図
【図２】同実施形態の部分斜視図
【図３】図２の背面からの部分切断斜視図
【図４】同実施形態の作用図
【図５】同実施形態の一取り付け状態の平面図
【発明を実施するための形態】
【００１１】
この発明の一実施形態を図１〜図４に示し、この実施形態に係る仮設足場は、上記と同様に、建地材となる縦柱等の前後一対の支柱１、１の複数を建物Ｈに沿って左右方向所要間隔で立設し、その建物Ｈに沿った支柱１、１間の高さ方向の適宜位置に足場板２を設けるとともに、その足場板２の前面に手摺り付筋交い３を設けた構造である。
【００１２】
支柱１は、図１〜図３に示すように、その長さ方向所要間隔でフランジ１１からなる緊結部４が設けられており、そのフランジ１１には周囲４等分位（前後左右）に係止孔１２が形成されている。緊結部４の上下方向（前記長さ方向）の間隔は安全技術基準に基づき足場板２の設置高さ等を考慮して適宜に設定される。この実施形態では、緊結部４は、手摺り付筋交い３の取付ピッチ（間隔）の半分のピッチで設けられている。
【００１３】
足場板２は、四角枠内に網板やパンチング板等を設けた長方形の床板２１と、その床板２１の前後縁の両端に設けたフック２２とからなり、従来と同様、そのフック２２を布材５に引っかけて左右の支柱１、１間に掛け渡される（設けられる）。妻側側面を除く布材５は、左右の支柱１、１間に亘る横ステーの端を係止金具でもってフランジ１１の係止孔１２に係止することによって前後の支柱１、１間に掛け渡される。
【００１４】
その足場板２の前面と妻側側面に手摺り付筋交い３、３ａが取付けられる。この両手摺り付筋交い３、３ａは、その構成は同一であり、取付ける支柱１、１間の長さによって下記の水平杆３１、斜杆３２の長さを異ならせる。このため、以下は、前面側手摺り付筋交い３について説明する。
【００１５】
手摺り付筋交い３は、手摺りとなる水平杆３１と、その水平杆３１の両端に回転自在に設けた筋交いとなるＸ字状の斜杆３２とからなり、その両斜材３２の上端にフック３３をそれぞれ有し、斜杆３２の先端（下端）にもフック３３を有している。このため、図１に示すように、両斜材３２の上端のフック３３を支柱１のフランジ１１の左右の係止孔１２に嵌め込み、その後、斜杆３２の下端のフック３３を前記フランジ１１より下側のフランジ１１に係止して取付ける。その斜杆３２下端のフランジ１１への取付け（係止）も上端フック３３と同様である。
【００１６】
このような仮設足場において、図１に示すように、支柱１、１間が規格通りの幅にならない場合における左右の支柱１、１間にこの発明に係る長さ調整手摺り４０を設ける。この長さ調整手摺り４０は、四角筒体４１とクサビ片４５とからなる。筒体４１は、その長さ方向の両側に、上下面に開口する長孔４２、一側面（支柱１に対する反対面）に開口する長孔４３がそれぞれ形成されている。その両長孔４２、４３の長さは筒体４１の手摺りとしての強度が維持される限りにおいて長いのが好ましい。支柱１、１の間隔変化に大きく対応し得るからである。手摺り４０は、図示の前後の支柱１、１の間の内側ではなく外側に位置させることもできる。
【００１７】
クサビ片４５は、図２〜図４に示すように、上下の長孔４２を貫通する基片４６と、フランジ１１の係止孔１２にはめ込まれる係止片４７とからなり、基片４６と係止片４８は溶接等によって一体となっている。このクサビ片４５は、筒体４１に上下面の長孔４２を介して嵌め込まれ、基片４６下端の止め具４８によって抜け止めされている。すなわち、クサビ片４５は筒体４１に離反しないようになっている。
このため、図４（ａ）に示すように、筒体４１の側面長孔４３にフランジ１１を嵌めて手摺り４０を支柱１に宛がい、同図（ｂ）に示すように、係止片４７をフランジ１１の係止孔１２にはめ込んで、筒体４１を支柱１に固定して手摺り４０を取り付ける。
このとき、長孔４２、４３におけるクサビ片４５のその長さ方向の位置調整によって、支柱１、１間の幅に対応する。
この手摺り４０を設けた部分の足場板部分は、適宜な長さの補助床板で被う。
【００１８】
このようにして支柱１、１間に取り付け固定された調整手摺り４０は、フランジ１１が筒体４１内に入り込んでいるとともに、筒体４１が四角筒であることから、前後の支柱１、１間が狭くなることも少なく、作業者が足場板２上を歩き難いと思うことも少ない。
また、この手摺り４０は筒体４１の両側に長孔４２、４３が形成されているため、支柱１に対する筒軸方向の取り付け位置調整が可能である。このため、図５に示すように、コーナ部にこの手摺り４０を設けた場合、内側の手摺り４０（筒体４１）の一端（同図において、左側の手摺り４０の下側端）の、支柱１側面（同図において下側）からの突出長さを極力抑えることができる。これにより、筒体４１一端の突出による作業者の通行Ｒへの支障を極力なくすことができる。このことから、長孔４２、４３の形成位置は、手摺り４０を支柱１に取り付けた際、筒体４１の端が、作業者の通行に支障がない程度の支柱１側面からの突出長さ（０又は数ｃｍ）となるように設定する。
【００１９】
上記実施形態において、手摺り付筋交い３、３ａに代えて、筋交い無しの手摺り（水平杆３１）のみでも良い。また、この発明は、フランジ１１に代えて上記ホルダ等の他の手段を採用することもできる。このとき、そのホルダ等は筒体４１にその側面長孔４３から嵌め込むようにする。さらに、一側足場における左右方向に支柱間の調整手摺りとして使用し得ることは言うまでもない。筒体４１は、四角筒以外の、円筒、多角筒等でも良く、その長さも任意である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２０】
１  支柱
２  足場板
３  支柱前面側手摺り付筋交い
３ａ  妻側（開放側）手摺り付筋交い
４  緊結部
５  足場板取付用布材
１１  フランジ
１２  係止孔
２１  足場板の床板
２２  同フック
３１  手摺り付筋交いの水平杆
３２  同斜杆
３３  同フック
４０  長さ調整手摺り
４１  筒体
４２、４３  長孔
４５  クサビ片
４６  クサビ片の基片
４７  同係止片
４８  同止め具
【図１】
2019132101.tif 000003
【図２】
2019132101.tif 000004
【図３】
2019132101.tif 000005
【図４】
2019132101.tif 000006
【図５】
2019132101.tif 000007